(57)【要約】      （修正有）【課題】空調空気を吹き出す吹出口の数に関わらず全ての室内熱交換器を使用できる空気調和機を提供する。【解決手段】左側吹出口１２ｂのみから空気を吹き出す場合、送風ファン２の回転によって吸込口１１から筐体の内部に流入した空気は、右側空気流路２０Ｒと左側空気流路２０Ｌに分流する。左側空気流路２０Ｌを流れる空気は、左側熱交換器３ｂで冷媒と熱交換を行って加熱あるいは冷却され、左側吹出口１２ｂから空調空間に吹き出される。一方、右側空気流路２０Ｒを流れる空気は、右側熱交換器３ａで冷媒と熱交換を行って加熱あるいは冷却された後、右側吹出口１２ａが右側フラップ１３ａによって全閉されているために、筐体の下方に向かって流れる。そして、下方に流れる空気は、連通部１４の連通孔１４ａを通過して左側空気流路２０Ｌに流入して左側吹出口１２ｂから空調空間に吹き出される。【選択図】図３
2017227398.tif 000002
【特許請求の範囲】
【請求項１】
筐体内部に室内熱交換器と送風ファンを有する室内機を備えた空気調和機であって、
前記筐体には、同筐体内部に空気を吸い込む吸込口と、前記筐体内部から外部へ空気を吹き出す吹出口と、前記吸込口から吸い込んだ空気を吹出口に導く空気流路が設けられ、
前記吹出口は第１吹出口と第２吹出口を有し、前記第１吹出口から吹き出される空気と前記第２吹出口から吹き出される空気が異なる方向に吹き出されるように、前記筐体に前記第１吹出口と前記第２吹出口が配置され、
前記空気流路は、前記吸込口から吸い込んだ空気を前記第１吹出口に導く第１空気流路と、前記吸込口から吸い込んだ空気を前記第２吹出口に導く第２空気流路を有し、
前記室内熱交換器は、前記第１空気流路に配置される第１室内熱交換器と、前記第２空気流路に配置される第２室内熱交換器を有し、
前記筐体内部に、前記第１吹出口のみから空気を吹き出す場合に前記第２室内熱交換器を通過して前記第２空気流路を流れる空気を前記第１空気流路に導く、あるいは、前記第２吹出口のみから空気を吹き出す場合に前記第１室内熱交換器を通過して前記第１空気流路を流れる空気を前記第２空気流路に導く連通部を有する、
ことを特徴とする空気調和機。
【請求項２】
前記連通部には、同連通部を貫通する連通孔が設けられ、
前記連通孔の周縁部は円弧面に形成されている、あるいは、前記連通孔の周縁部が面取りされている、
ことを特徴とする請求項１に記載の空気調和機。
【発明の詳細な説明】
【技術分野】
【０００１】
本発明は空気調和機に関わり、特に、吹出口を複数備える室内機を有するものに関する。
【背景技術】
【０００２】
従来、室内機と室外機を冷媒配管で接続してなる空気調和機において、室内機に複数の吹出口を備えるものが提案されている。例えば、特許文献１に記載の空気調和機は、上下方向に細長い形状に形成されて空調空間の壁面に沿って設置されるケーシング（筐体）と、この筐体内部に第１室内熱交換器および第２室内熱交換器と第１送風機および第２送風機が配置される室内機を有している。ケーシングには、ケーシングの左側の壁面に沿った方向に開口する左側吹出口と、ケーシングの右側の壁面に沿った方向に開口する右側吹出口と、ケーシングの正面方向に開口する中央吹出口が設けられている。
【０００３】
ケーシングにおける左側吹出口と中央吹出口の間には左側吸込口が設けられ、右側吹出口と中央吹出口の間には右側吸込口が設けられている。左側吸込口の下流側に第１室内熱交換器が配置され、第１室内熱交換器の下流側に第１送風機が配置されている。右側吸込口の下流側に第２室内熱交換器が配置され、第２室内熱交換器の下流側に第２送風機が配置されている。そして、第１送風機の下流側には第１流路区画板が設けられ、第２送風機の下流側には第２流路区画板が設けられている。
【０００４】
以上説明した構成を有する室内機において、第１流路区画板や第２流路区画板を左右方向に移動させることによって、１つまたは２つの任意の吹出口から空調空気を吹き出すよう、ケーシング内部を区画できるようになっている。そして、第１流路区画板あるいは第２流路区画板を移動させていずれか１つの吹出口のみから空調空気を吹き出す場合は、当該吹出口に対応する送風機のみ駆動し、駆動している送風機に対応する室内熱交換器のみで冷媒と空気を熱交換させている。
【先行技術文献】
【特許文献】
【０００５】
【特許文献１】特開２００２−２５７４０３号公報
【発明の概要】
【発明が解決しようとする課題】
【０００６】
上述したように、特許文献１に記載の空気調和機では、いずれか１つの吹出口のみから空調空気を吹き出す場合に、当該吹出口に対応する室内熱交換器のみで冷媒と空気を熱交換させている。つまり、いずれか１つの吹出口のみから空調空気を吹き出す場合には、使用しない室内熱交換器が発生するので、２台の室内熱交換器を使用する場合と比べて熱交換量が減少して省エネルギー性が低下するという問題があった。
【０００７】
本発明は以上述べた問題点を解決するものであって、空調空気を吹き出す吹出口の数に関わらず全ての室内熱交換器を使用できる空気調和機を提供することを目的とする。
【課題を解決するための手段】
【０００８】
上記の課題を解決するために、本発明の空気調和機は、筐体内部に室内熱交換器と送風ファンを有する室内機を備えたものであって、筐体には、筐体内部に空気を吸い込む吸込口と、筐体内部から外部へ空気を吹き出す吹出口と、吸込口から吸い込んだ空気を吹出口に導く空気流路が設けられる。吹出口は第１吹出口と第２吹出口を有し、第１吹出口から吹き出される空気と第２吹出口から吹き出される空気が異なる方向に吹き出されるように、筐体に第１吹出口と第２吹出口が配置される。空気流路は、吸込口から吸い込んだ空気を第１吹出口に導く第１空気流路と、吸込口から吸い込んだ空気を第２吹出口に導く第２空気流路を有し、室内熱交換器は、第１空気流路に配置される第１室内熱交換器と、第２空気流路に配置される第２室内熱交換器を有する。そして、筐体内部に、第１吹出口のみから空気を吹き出す場合に第２室内熱交換器を通過して第２空気流路を流れる空気を第１空気流路に導く、あるいは、第２吹出口のみから空気を吹き出す場合に第１室内熱交換器を通過して第１空気流路を流れる空気を第２空気流路に導く連通部を有する。
【発明の効果】
【０００９】
上記のように構成した本発明の空気調和機によれば、第１空気流路と第２空気流路を連通部によって連通させることで、空調空気を吹き出す吹出口の数に関わらず全ての室内熱交換器を使用できるので、空気調和機の省エネルギー性が向上する。
【図面の簡単な説明】
【００１０】
【図１】本発明の第１の実施形態における、室内機の外観斜視図である。
【図２】本発明の第１の実施形態における、室内機内部を示す斜視図である。
【図３】本発明の第１の実施形態における、室内機内部の空気の流れを説明する図であり、（Ａ）は左側吹出口から空気を放出する場合を、（Ｂ）は右側吹出口から空気を放出する場合を、それぞれ示している。
【図４】本発明の第１の実施形態における室内機を空調空間に設置した場合の動作を説明する図である。
【図５】本発明の第２の実施形態における、室内機内部を示す斜視図である。
【発明を実施するための形態】
【００１１】
以下、本発明の実施の形態を、添付図面に基づいて詳細に説明する。実施形態としては、室外機と室内機が冷媒配管で接続される空気調和機を例に挙げて説明する。尚、本発明は以下の実施形態に限定されることはなく、本発明の主旨を逸脱しない範囲で種々変形することが可能である。
【実施例１】
【００１２】
本実施形態における室内機１は、空調空間の床面に設置される床置型の室内機であり、屋外に設置される図示しない室外機と冷媒配管で接続されている。図１に示すように、室内機１は、天板１０ａと前面板１０ｂと背面板１０ｃと右側板１０ｄと左側板１０ｅと底板１０ｆで形成される直方体形状の筐体１０を有する。これら各板は、例えば、合成樹脂材で形成される。
【００１３】
尚、以降の説明では必要に応じて、前面板１０ｂ側を室内機１の前面側、背面板１０ｃ側を室内機１の背面側、右側板１０ｄ側を室内機１の右側、左側板１０ｅ側を室内機１の左側、天板１０ａ側を室内機１の上側、底板１０ｆ側を室内機１の下側と称する。
【００１４】
天板１０ａの中央部には、空調空間の空気を筐体１０の内部に取り込むための吸込口１１が設けられている。吸込口１１は円形状の貫通孔であり、吸込口１１には送風ファン２が配置されている。送風ファン２は例えば、合成樹脂材で形成されたプロペラファンであり、送風ファン２が図示しないモータによって回転することで、吸込口１１から筐体１の内部に空気が取り込まれる。尚、図示は省略するが、天板１０ａには、室外機から送信された制御に関わる信号や使用者のリモコン操作により送信された運転指示信号を受信し送風ファン２の回転制御を行う制御部を搭載した電装部が備えられている。
【００１５】
図２に示すように、右側板１０ｄには、第１吹出口である右側吹出口１２ａと第１フラップである右側フラップ１３ａが設けられている。右側吹出口１２ａは右側板１０ｄの大部分を占める大きさの長方形状の貫通孔であり、筐体１０の内部から空調空気を筐体１０の右側に吹き出す。右側フラップ１３ａは、右側吹出口１２ａの大きさに応じた長方形状の板材であり、背面側の長辺部が右側吹出口１２ａに回動自在に取り付けられている。右側フラップ１３ａが回動することで、右側吹出口１２ａが開閉される。
【００１６】
左側板１０ｅには、第２吹出口である左側吹出口１２ｂと第２フラップである左側フラップ１３ｂが設けられている。左側吹出口１２ｂは左側板１０ｅの大部分を占める大きさの長方形状の貫通孔であり、筐体１０の内部から空調空気を筐体１０の左側に吹き出す。左側フラップ１３ｂは、左側吹出口１２ｂの大きさに応じた長方形状の板材であり、背面側の長辺部が左側吹出口１２ｂに回動自在に取り付けられている。左側フラップ１３ｂが回動することで、左側吹出口１２ｂが開閉される。
【００１７】
以上説明した吸込口１１と各吹出口を繋ぐ筐体１０の内部は空気が流れる空気流路２０となる。具体的には、図３に示すように空気流路２０は、吸込口１１と右側吹出口１２ａを連通させて送風ファン２の回転により吸込口１１から取り込まれた空気を右側吹出口１２ａへと流す第１空気流路である右側空気流路２０Ｒと、吸込口１１と左側吹出口１２ｂを連通させて送風ファン２の回転により吸込口１１から取り込まれた空気を左側吹出口１２ｂへと流す第２空気流路である左側空気流路２０Ｌで構成される。
【００１８】
前面板１０ｂには、輻射パネル４が設けられている。この輻射パネル１０は、筐体１０内部のメンテナンス（内部の清掃や後述する塵埃フィルタの着脱）を行うことを考慮して、前面板１０ｂに着脱可能とされている。輻射パネル４は、前面板１０ｂの面積の大部分を占める大きさの長方形状に形成されており、輻射パネル４には図示しない室外機から供給される冷媒が流通して空調空間に輻射を行う。具体的には、輻射パネル４に加熱された冷媒が流通して輻射パネル４の温度が室温より高くなる場合は温輻射（輻射パネル４から空調空間に熱が放射される）となって空調空間が暖房され、輻射パネル４に冷却された冷媒が流通して輻射パネル４の温度が室温より低くなる場合は冷輻射（輻射パネル４が空調空間から熱を吸収する）となって空調空間が冷房される。
【００１９】
図２に示すように、筐体１０の内部には、前述した送風ファン２の他に、第１室内熱交換器である右側熱交換器３ａと、第２室内熱交換器である左側熱交換器３ｂと、連通部１４と、ドレンパン１５が設けられている。
【００２０】
右側熱交換器３ａと左側熱交換器３ｂは、各々が平板上に形成されており、その奥行き寸法は筐体１０の内部の前後方向の寸法とほぼ同じ寸法とされている。図３に示すように、右側熱交換器３ａと左側熱交換器３ｂは、連通部１４の上面に配置されたドレンパン１５上に一方の端部が固定されるとともに、他方の端部が天板１０ａに固定されて、筐体１０の前面側から見てＶ字状に配置される。このように右側熱交換器３ａと左側熱交換器３ｂが配置されることで、右側熱交換器３ａが図３（Ｂ）に示すように右側空気流路２０Ｒに配置されて右側空気流路２０Ｒを流れる右側空気流ＷＲ１が右側熱交換器３ａを通過し、また、左側熱交換器３ｂが図３（Ａ）に示すように左側空気流路２０Ｌに配置されて左側空気流路２０Ｌを流れる左側空気流ＷＬ１が左側熱交換器３ｂを通過する。
【００２１】
連通部１４は、合成樹脂材を用いて直方体形状に形成されており、その奥行き寸法は筐体１０の内部の前後方向の寸法とほぼ同じ寸法とされている。図３に示すように、連通部１４は底板１０ｆの左右方向の中央部に固定されており、その上面には上述したようにドレンパン１５が配置されている。そして、連通部１４には、連通部１４を左右方向に貫通するする連通孔１４ａが設けられており、この連通孔１４ａを介して右側空気流路２０Ｒと左側空気流路２０Ｌが連通している。尚、連通孔１４ａの周縁部を円弧面とする、あるいは、周縁部を面取りすることによって、連通孔１４ａの圧力損失や送風による騒音を低減できるようにしてもよい。また、連通部１４の強度を上げるために、連通孔１４ａに１本以上の支柱を設けてもよい。
【００２２】
ドレンパン１５は、合成樹脂材を用いてコ字状に形成されており、その奥行き寸法は筐体１０の内部の前後方向の寸法とほぼ同じ寸法とされている。前述したように、ドレンパン１５には右側熱交換器３ａと左側熱交換器３ｂの端部が固定されており、ドレンパン１５で右側熱交換器３ａと左側熱交換器３ｂで凝縮したドレン水を受けている。ドレンパン１５で受けたドレン水は、底板１０ｆの下方等に設けられる図示しないドレンタンクに排水される。尚、ドレンタンクが満水となれば、使用者がドレンタンクを取り外して溜まったドレン水を外部に排水するか、あるいは、ドレンタンクとドレンホースの高低差により外部に自然排出するか、あるいは、筐体１０やドレンタンク等に備えられた図示しない排水ポンプを駆動してドレンタンクからドレン水を汲み上げ、ドレンホースを介して外部に排水する。
【００２３】
また、ドレンパン１５は、銅板で形成する、あるいは、表面が銅メッキや銀メッキされた材料で形成するか、あるいは、抗菌剤を含有する合成樹脂材で形成すれば、滞留したドレン水での雑菌やカビの繁殖を抑制できる。尚、ドレンパン１５は、連通部１４と一体に形成されていてもよい。
【００２４】
尚、図示は省略するが、右側熱交換器３ａと左側熱交換器３ｂの上流側（吸込口１１側）あるいは右側吹出口１２ａおよび左側吹出口１２ｂのいずれか一方（もしくは、両方）には、塵埃フィルタが着脱可能に配置されている。塵埃フィルタは、例えば、糸状のＰＥＴ材を編み込んで網目構造としたものや、不織布をプリーツ形状に形成したものであればよい。
【００２５】
また、輻射パネル４は、冷媒の流通による輻射に代えて、右側熱交換器３ａおよび左側熱交換器３ｂで冷媒と熱交換を行った空気の熱伝導によって加熱または冷却されて空調空間に温輻射または冷輻射するようにしてもよい。このとき、空気による熱伝導に代えて、熱伝導性の良好な材料（例えば、銅材やアルミ材）で形成された熱伝導部材を、右側熱交換器３ａおよび左側熱交換器３ｂと輻射パネル４の間に介在させてもよい。あるいは、連通部１４とドレンパン１５が熱伝導性の良好な材料で形成されている場合は、これら連通部１４とドレンパン１５に接触するように輻射パネル４を配置し、右側熱交換器３ａおよび左側熱交換器３ｂから輻射パネル４への熱伝導が連通部１４とドレンパン１５を介してなされるようにしてもよい。
【００２６】
以上説明した室内機１で冷房運転を行う場合は、図示しない室外機で冷却された冷媒が右側熱交換器３ａと左側熱交換器３ｂと輻射パネル４に流入する。送風ファン２の回転により吸込口２から筐体１０の内部に取り込まれて右側空気流路２０Ｒおよび左側空気流路２０Ｌを流れる空気は、右側熱交換器３ａおよび左側熱交換器３ｂで冷媒によって冷却されて、右側吹出口１２ａと左側吹出口１２ｂの両方あるいはいずれか一方から空調空間に吹き出される。また、輻射パネル４からの冷輻射によって空調空間の空気が冷却される。
【００２７】
一方、室内機１で暖房運転を行う場合は、図示しない室外機で加熱された冷媒が右側熱交換器３ａと左側熱交換器３ｂと輻射パネル４に流入する。送風ファン２の回転により吸込口２から筐体１０の内部に取り込まれて右側空気流路２０Ｒおよび左側空気流路２０Ｌを流れる空気は、右側熱交換器３ａおよび左側熱交換器３ｂで冷媒によって加熱されて、右側吹出口１２ａと左側吹出口１２ｂの両方あるいはいずれか一方から空調空間に吹き出される。また、輻射パネル４からの温輻射によって空調空間の空気が暖められる。
【００２８】
次に、室内機１で冷房運転あるいは暖房運転を行う際に、右側吹出口１２ａあるいは左側吹出口１２ｂのうちのいずれか一方から空調空間に空調空気を吹き出す場合の、筐体１０の内部の空気の流れと連通部１４の作用について説明する。
【００２９】
まず、図３（Ａ）を用いて、左側吹出口１２ｂのみから空調空気を吹き出す場合について説明する。この場合、右側フラップ１３ａは全閉とされるとともに、左側フラップ１３ｂは使用者が望む吹出し方向に対応した角度で開かれる。
【００３０】
使用者が望む吹出風量に対応する回転数で送風ファン２を回転させることによって吸込口１１から筐体１０の内部に流入した空気は、右側空気流路２０Ｒと左側空気流路２０Ｌに分流する。左側空気流路２０Ｌを流れる空気は、左側熱交換器３ｂで冷媒と熱交換を行って加熱あるいは冷却され、左側吹出口１２ｂから空調空間に吹き出される。つまり、吸込口１１から左側空気流路２０Ｌに流入して左側吹出口１２ｂから空調空間に吹き出される空調空気は、図３（Ａ）に示す左側空気流ＷＬ１のように流れる。
【００３１】
一方、右側空気流路２０Ｒを流れる空気は、右側熱交換器３ａで冷媒と熱交換を行って加熱あるいは冷却された後、右側吹出口１２ａが右側フラップ１３ａによって全閉されているために、筐体１０の下方に向かって流れる。そして、下方に流れる空気は、連通部１４の連通孔１４ａを通過して左側空気流路２０Ｌに流入して左側吹出口１２ｂから空調空間に吹き出される。つまり、吸込口１１から右側空気流路２０Ｒに流入し連通孔１４ａを介して左側吹出口１２ｂから空調空間に吹き出される空調空気は、図３（Ａ）に示す左側補助空気流ＷＬ２のように流れる。
【００３２】
以上のように、左側吹出口１２ｂのみから空調空気を吹き出す場合に、左側熱交換器３ｂだけではなく右側熱交換器３ａにおいて冷媒と熱交換を行った空気を連通部１４の連通孔１４ａを介して左側吹出口１２ｂから吹き出すことができるので、左側熱交換器３ｂのみを使用する場合と比べて熱交換量が多くなり省エネルギー性が向上する。
【００３３】
次に、図３（Ｂ）を用いて、右側吹出口１２ａのみから空調空気を吹き出す場合について説明する。この場合、左側フラップ１３ｂは全閉とされるとともに、右側フラップ１３ａは使用者が望む吹出し方向に対応した角度で開かれる。
【００３４】
使用者が望む吹出風量に対応する回転数で送風ファン２を回転させることによって吸込口１１から筐体１０の内部に流入した空気は、右側空気流路２０Ｒと左側空気流路２０Ｌに分流する。右側空気流路２０Ｒを流れる空気は、右側熱交換器３ａで冷媒と熱交換を行って加熱あるいは冷却され、右側吹出口１２ａから空調空間に吹き出される。つまり、吸込口１１から右側空気流路２０Ｒに流入して右側吹出口１２ａから空調空間に吹き出される空調空気は、図３（Ｂ）に示す右側空気流ＷＲ１のように流れる。
【００３５】
一方、左側空気流路２０Ｌを流れる空気は、左側熱交換器３ｂで冷媒と熱交換を行って加熱あるいは冷却された後、左側吹出口１２ｂが左側フラップ１３ｂによって全閉されているために、筐体１０の下方に向かって流れる。そして、下方に流れる空気は、連通部１４の連通孔１４ａを通過して右側空気流路２０Ｒに流入して右側吹出口１２ａから空調空間に吹き出される。つまり、吸込口１１から左側空気流路２０Ｌに流入し連通孔１４ａを介して右側吹出口１２ａから空調空間に吹き出される空調空気は、図３（Ｂ）に示す右側補助空気流ＷＲ２のように流れる。
【００３６】
以上のように、右側吹出口１２ａのみから空調空気を吹き出す場合に、右側熱交換器３ａだけではなく左側熱交換器３ｂにおいて冷媒と熱交換を行った空気を連通部１４の連通孔１４ａを介して右側吹出口１２ａから吹き出すことができるので、右側熱交換器３ａのみを使用する場合と比べて熱交換量が多くなり省エネルギー性が向上する。
【００３７】
次に、以上説明したような室内機１のいずれか一方の吹出口から空調空気を吹き出す使用例について、図４を用いて説明する。図４には、キッチン１００ａとリビング１００ｂからなる空調空間としての部屋１００の床面に、本発明の内機１を設置した場合を示している。尚、キッチン１００ａとリビング１００ｂは、互いの空間を往来できる通路１００ｃを除いて、カウンター２００で仕切られている。また、室内機１を前面側から見たときにキッチン１００ａが左側にあるため、左側フラップ１３ｂを開くとともに右側フラップ１３ａを閉じて、左側吹出口１２ｂのみから空調空気を吹き出すようにしている。
【００３８】
室内機１は、部屋１００の壁面に背面板１０ｃが沿うように配置することで、輻射パネル４がリビング１００ｂに臨むように設置されている。そして、このように設置された室内機１で部屋１００の冷房あるいは暖房を行う場合に、リビング１００ｂの冷房あるいは暖房は輻射パネル４による輻射Ｒｈによって行われる。
【００３９】
一方、キッチン１００ａについては、カウンター２００によって輻射Ｒｈが妨げられる。そこで、左側フラップ１３ｂのみ開いて左側吹出口１２ｂより吹き出される左側空気流ＷＬ１および左側補助空気流ＷＬ２により、キッチン１００ａの冷房あるいは暖房が行われる。
【００４０】
尚、冷房運転あるいは暖房運転の開始時は、輻射パネル４による輻射Ｒｈに加えて、右側フラップ１３ａを開いてリビング１００ｂにも図３（Ｂ）に示す右側空気流ＷＲ１および右側補助空気流ＷＲ２を送風することで、リビング１００ｂの温度が素早く設定温度に到達するようにし、設定温度到達後に上記のようにリビング１００ｂの冷房あるいは暖房は輻射パネル４による輻射Ｒｈのみで行うようにしてもよい。
【００４１】
以上説明したように、リビング１００ｂは輻射パネル４の輻射Ｒｈによりドラフト感のない冷房あるいは暖房が行えるとともに、輻射Ｒｈによる冷房あるいは暖房が行えないキッチン１００ａは左側空気流ＷＬ１および左側補助空気流ＷＬ２により冷房あるいは暖房が行える。従って、１台の室内機１で部屋１００の２つの空間（キッチン１００ａとリビング１００ｂ）を同時に行える。
【００４２】
以上説明した実施形態では、右側フラップ１３ａと左側フラップ１３ｂは各々１枚の板材で形成された場合を説明したが、右側フラップ１３ａと左側フラップ１３ｂの各々が上下に複数枚に分割されていてもよい。このようにすれば、例えば、暖房運転時に下方のフラップのみを開くことで、各吹出口から吹き出された温風が足元のみに吹き出されるようにでき、また、冷房運転時に上方のフラップのみを開くことで、吹き出された冷風が足元に送られることがない。さらには、全てのフラップを開いている場合と比べて上下いずれか一方のみのフラップを開くと、吹き出し速度が早くなって温風や冷風を部屋の遠くにまで届けることができる。
【００４３】
また、右側熱交換器３ａと右側吹出口１２ａの間、および、左側熱交換器３ｂと左側吹出口１２ｂの間に、右側吹出口１２ａや左側吹出口１２ｂから吹き出される空気の方向を上下方向に偏向するサブフラップを設けてもよい。このようなサブフラップを設けることで、右側フラップ１３ａと左側フラップ１３ｂの動きと合せてよりきめ細やかな風向制御を行うことができる。
【実施例２】
【００４４】
次に、本発明の空気調和機の第２の実施形態について、主に図５を用いて説明する。本発明の第２の実施形態における空気調和機では、室内機に設ける連通部の構造や、いずれか１つの吹出口のみから空気を吹き出す際の連通部の作用については、第１実施形態における空気調和機と同じであるため、その構成や動作について詳細な説明を省略する。
【００４５】
図５に示すように、本実施形態における空気調和機の室内機１ａは、第１の実施形態の室内機１と同様に天板１０ａに吸込口１１は有するが、吸込口１１に送風ファン２は配置されていない。また、右側板１０ｄおよび左側板１０ｅには、第１の実施形態の室内機１で設けられていた長方形状の右側吹出口１２ａおよび左側吹出口１２ｂと右側フラップ１３ａおよび左側フラップ１３ｂが設けられておらず、これらに代えて、右側板１０ｄには第１吹出口である右側第１吹出口１２ｃおよび右側第２吹出口１２ｄが設けられ、左側板１０ｅには第２吹出口である左側第１吹出口１２ｅおよび左側第２吹出口１２ｆが設けられている。
【００４６】
右側第１吹出口１２ｃと右側第２吹出口１２ｄは各々が円形状の貫通孔であり、右側板１０ｄに上下方向に並べて配置されている。右側第１吹出口１２ｃには右側第１送風ファン２ａが配置されており、右側第２吹出口１２ｄには右側第２送風ファン２ｂが配置されている。右側第１送風ファン２ａおよび右側第２送風ファン２ｂは、各々が例えば合成樹脂材で形成されたプロペラファンであり、図示しないモータによって回転する。尚、右側第１送風ファン２ａおよび右側第２送風ファン２ｂが本発明の第１送風ファンである。尚、各吹出口の形状は円形状に限られるものではなく、四角形状や楕円形状等、他の形状の貫通孔であってもよい。
【００４７】
左側第１吹出口１２ｅと左側第２吹出口１２ｆは各々が円形状の貫通孔であり、左側板１０ｅに上下方向に並べて配置されている。左側第１吹出口１２ｅには左側第１送風ファン２ｃが配置されており、左側第２吹出口１２ｆには左側第２送風ファン２ｄが配置されている。左側第１送風ファン２ｃおよび左側第２送風ファン２ｄは、各々が例えば合成樹脂材で形成されたプロペラファンであり、図示しないモータによって回転する。尚、左側第１送風ファン２ｃおよび左側第２送風ファン２ｄが本発明の第２送風ファンである。
【００４８】
以上説明した室内機１ａで冷房運転あるいは暖房運転を行うときに、左側第１吹出口１２ｅおよび左側第２吹出口１２ｆのみから空調空気を吹き出す場合は、左側第１送風ファン２ｃおよび左側第２送風ファン２ｄを回転させるとともに、右側第１送風ファン２ａおよび右側第２送風ファン２ｂは停止させる。左側第１送風ファン２ｃおよび左側第２送風ファン２ｄの回転によって吸込口１１から筐体１０の内部に取り込まれた空気は、第１の実施形態における室内機１と同様に右側空気流路と左側空気流路に分流する。
【００４９】
左側空気流路を流れる空気は、左側熱交換器３ｂで冷媒と熱交換を行って加熱あるいは冷却され、左側第１吹出口１２ｅおよび左側第２吹出口１２ｆから空調空間に吹き出される。一方、右側空気流路を流れる空気は、右側熱交換器３ａで冷媒と熱交換を行って加熱あるいは冷却された後、右側第１送風ファン２ａおよび右側第２送風ファン２ｂが停止しているために、筐体１０の下方に向かって流れる。そして、下方に流れる空調空気は、連通部１４の連通孔１４ａを通過して左側空気流路に流入して左側第１吹出口１２ｅおよび左側第２吹出口１２ｆから空調空間に吹き出される。
【００５０】
また、右側第１吹出口１２ｃおよび右側第２吹出口１２ｄのみから空気を吹き出す場合は、右側第１送風ファン２ａおよび右側第２送風ファン２ｂを回転させるとともに、左側第１送風ファン２ｃおよび左側第２送風ファン２ｄは停止させる。右側第１送風ファン２ａおよび右側第２送風ファン２ｂの回転によって吸込口１１から筐体１０の内部に取り込まれた空気は、第１の実施形態における室内機１と同様に右側空気流路と左側空気流路に分流する。
【００５１】
右側空気流路を流れる空気は、右側熱交換器３ａで冷媒と熱交換を行って加熱あるいは冷却され、右側第１吹出口１２ｃおよび右側第２吹出口１２ｄから空調空間に吹き出される。一方、左側空気流路を流れる空気は、左側熱交換器３ｂで冷媒と熱交換を行って加熱あるいは冷却された後、左側第１送風ファン２ｃおよび左側第２送風ファン２ｄが停止しているために、筐体１０の下方に向かって流れる。そして、下方に流れる空調空気は、連通部１４の連通孔１４ａを通過して右側空気流路に流入して右側第１吹出口１２ｃおよび右側第２吹出口１２ｄから空調空間に吹き出される。
【００５２】
以上のように、左右いずれか一方の吹出口のみから空調空気を吹き出す場合に、当該吹出口に設けられた送風ファンのみ回転させ、回転させる送風ファン側と反対側の熱交換器において冷媒と熱交換を行った空調空気を連通部１４の連通孔１４ａを介して当該吹出口から吹き出すことができるので、いずれか一方の熱交換器のみを使用する場合と比べて熱交換量が多くなり省エネルギー性が向上する。尚、本実施形態の室内機１ａでは、各吹出口に第１の実施形態で説明したフラップを設けない場合を説明したが、本実施形態において各吹出口にフラップを設ければ、よりきめ細やかな風向制御を行うことができる。
【００５３】
以上説明した各実施形態では、吹出口が右側板と左側板に設けられる、つまり、筐体に２つの吹出口を設ける室内機を例に挙げて説明したが、これに限られるものではなく、３つ以上の吹出口を筐体に設ける室内機であってもよい。尚、３つ以上の吹出口を有する室内機に設ける連通部は、空気を吹き出す吹出口と空気を吹き出さない吹出口がある場合に、空気を吹き出さない吹出口に繋がる空気流路を流れる熱交換後の空気を、空調空気を吹き出す吹出口に繋がる空気流路に導く形状とすればよい。
【００５４】
また、各実施形態において熱交換器をＶ字状に配置する場合を説明したが、これに限られるものではなく、熱交換器を逆Ｖ字状に配置する、あるいは、Ｗ字状に配置してもよい。尚、熱交換器をＷ字状に配置する場合は、Ｗ字状の２か所の底部に対応して２枚のドレンパンを配置する。
【符号の説明】
【００５５】
１、１ａ、１ｂ  室内機
２  送風ファン
２ａ  右側第１送風ファン
２ｂ  右側第２送風ファン
２ｃ  左側第１送風ファン
２ｄ  左側第２送風ファン
３ａ  右側熱交換器
３ｂ  左側熱交換器
４  輻射パネル
１０  筐体
１０ａ  天板
１０ｂ  前面板
１０ｃ  背面板
１０ｄ  右側板
１０ｅ  左側板
１０ｆ  底板
１１  吸込口
１２ａ  右側吹出口
１２ｂ  左側吹出口
１２ｃ  右側第１吹出口
１２ｄ  右側第２吹出口
１２ｅ  左側第１吹出口
１２ｆ  左側第２吹出口
１３ａ  右側フラップ
１３ｂ  左側フラップ
１４  連通部
１４ａ  連通孔
１５  ドレンパン
２０  空気流路
２０Ｒ  右側空気流路
２０Ｌ  左側空気流路
１００  部屋
１００ａ  キッチン
１００ｂ  リビング
２００  カウンター
ＷＲ１  右側空気流
ＷＲ２  右側補助空気流
ＷＬ１  左側空気流
ＷＬ２  左側補助空気流
【図１】
2017227398.tif 000003
【図２】
2017227398.tif 000004
【図３】
2017227398.tif 000005
【図４】
2017227398.tif 000006
【図５】
2017227398.tif 000007